【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
協働複数無線デバイスを有するネットワークにおいて、プロキシデバイスとして働くのに適した少なくとも１つの複数無線デバイスを発見するための方法であって、前記方法は、
クライアント複数無線デバイスにおいてプローブモードに入ることであって、前記プローブモードが短距離通信プロトコルで行われる、プローブモードに入ることと、
所定のスケジュールに従って、前記クライアント複数無線デバイスにおいて記憶されたプロキシデバイスのリスト上の少なくとも１つのプロキシデバイスに、前記短距離通信プロトコルで複数のプローブパケットを送信することと、
前記プローブモード中に発見された前記少なくとも１つのプロキシデバイスの各々を識別するプロキシ識別子（ＩＤ）のリストをネットワークサーバに送信することであって、前記クライアント複数無線デバイスが長距離通信プロトコルを使用してプロキシＩＤの前記リストを送信する、送信することと、
前記クライアント複数無線デバイスにディープスリープモードに入るように促す信号を前記クライアント複数無線デバイスにおいて受信することと
を備える、方法。
【請求項２】
前記少なくとも１つのプロキシデバイスから少なくとも１つの応答プローブパケットを受信することであって、前記少なくとも１つのプロキシデバイスが、前記複数のプローブパケットのうちの少なくとも１つを受信したことに応答して前記少なくとも１つの応答プローブパケットを送信する、受信すること
をさらに備える、請求項１に記載の方法。
【請求項３】
前記プロキシリストについての要求を前記ネットワークサーバに送信することであって、前記クライアント複数無線デバイスが前記長距離通信プロトコルを使用して前記要求を送信する、送信することと
前記クライアントにおいて、前記ネットワークサーバから前記長距離通信プロトコルを介して前記プロキシリストを受信することであって、前記プロキシリストが、前記ネットワークサーバから、前記クライアントに宛てられたメッセージ中で受信される、受信することと
をさらに備える、請求項１に記載の方法。
【請求項４】
前記クライアント複数無線デバイスにおいてスケジュールリストを生成することであって、前記スケジュールリストが、
前記ネットワークサーバから受信された、前記プロキシリストに関連するスケジュールのリストと、
前記クライアント複数無線デバイスによって直接取得可能な、時間およびイベントベースのトリガのうちの少なくとも１つと
のうちの１つに基づいて生成される、生成すること
をさらに備える、請求項１に記載の方法。
【請求項５】
前記クライアント複数無線デバイスにおいて、前記ネットワークサーバから前記長距離通信プロトコルを介してブロードキャストメッセージを受信することと、
前記クライアント複数無線デバイスにおいて、前記ブロードキャストメッセージから前記プロキシリストへの更新を抽出することと、
前記抽出された更新を用いて前記プロキシリストを更新することと
をさらに備える、請求項３に記載の方法。
【請求項６】
前記更新が、
前記クライアントにとって利用可能なプロキシの完全なリスト、または、
前記プロキシリストへの変更を識別する差分リスト
のうちの１つを備える、請求項５に記載の方法。
【請求項７】
前記クライアント複数無線デバイスにおいて、前記ネットワークサーバから前記長距離通信プロトコルを介してブロードキャストメッセージを受信することと、
前記クライアント複数無線デバイスにおいて、前記ブロードキャストメッセージから前記プロキシリストを抽出することと
をさらに備える、請求項１に記載の方法。
【請求項８】
クライアント複数無線デバイスにおいてプローブモードに入るための手段であって、前記プローブモードが短距離通信プロトコルで行われる、プローブモードに入るための手段と、
所定のスケジュールに従って、前記クライアント複数無線デバイスにおいて記憶されたプロキシデバイスのリスト上のプロキシデバイスとして働くのに適した少なくとも１つの他の複数無線デバイスに、前記短距離通信プロトコルで複数のプローブパケットを送信するための手段と、
前記プローブモード中に発見された少なくとも１つのプロキシデバイスの各々を識別する可能なプロキシ識別子（ＩＤ）のリストをネットワークサーバに送信するための手段であって、前記クライアント複数無線デバイスが長距離通信プロトコルを使用してプロキシＩＤの前記リストを送信する、送信するための手段と、
前記クライアント複数無線デバイスにディープスリープモードに入るように促す信号を前記クライアント複数無線デバイスにおいて受信するための手段と
を備える複数無線デバイス。
【請求項９】
所定のスケジュールに従って、前記少なくとも１つのプロキシデバイスから少なくとも１つの応答プローブパケットを受信するための手段をさらに備える、請求項８に記載の複数無線デバイス。
【請求項１０】
前記プロキシリストについての要求を前記ネットワークサーバに送信するための手段であって、前記クライアントが、前記長距離通信プロトコルを使用して前記要求を送信するように構成された、送信するための手段と、
前記クライアントにおいて、前記ネットワークサーバから前記長距離通信プロトコルを介して前記プロキシリストを受信するための手段であって、前記プロキシリストが、前記ネットワークサーバから、前記クライアントに宛てられたメッセージ中で受信される、受信するための手段と
をさらに備える、請求項８に記載の複数無線デバイス。
【請求項１１】
前記クライアント複数無線デバイスにおいて、前記ネットワークサーバから前記長距離通信プロトコルを介してブロードキャストメッセージを受信するための手段と、
前記クライアント複数無線デバイスにおいて、前記ブロードキャストメッセージから前記プロキシリストへの更新を抽出するための手段と、
前記抽出された更新を用いて前記プロキシリストを更新するための手段と
をさらに備える、請求項１０に記載の複数無線デバイス。
【請求項１２】
前記クライアント複数無線デバイスにおいて、前記ネットワークサーバから前記長距離通信プロトコルを介してブロードキャストメッセージを受信するための手段と、
前記クライアント複数無線デバイスにおいて、前記ブロードキャストメッセージから前記プロキシリストを抽出するための手段と
をさらに備える、請求項１０に記載の複数無線デバイス。
【請求項１３】
前記クライアント複数無線デバイスにおいてスケジュールリストを生成するための手段であって、前記スケジュールリストが、
前記ネットワークサーバから受信された、前記プロキシリストに関連するスケジュールのリストと、
前記クライアント複数無線デバイスによって直接取得可能な、時間およびイベントベースのトリガのうちの少なくとも１つと
のうちの１つに基づいて生成される、生成するための手段
をさらに備える、請求項１０に記載の複数無線デバイス。
【請求項１４】
プロセッサと、
前記プロセッサに結合された少なくとも１つの短距離インターフェースと、
前記プロセッサに結合された少なくとも１つの長距離インターフェースと、
前記少なくとも１つの短距離インターフェースと前記少なくとも１つの長距離インターフェースとに結合されたアンテナアレイと、
前記プロセッサに結合された電源と、
前記プロセッサに結合されたストレージデバイスと、
前記ストレージデバイスに記憶されたプロキシ発見アプリケーションと
をさらに備える、請求項８に記載の複数無線デバイス。
【請求項１５】
コンピュータ上で実行されたとき、請求項１から７のいずれか一項に記載の方法を実施するためのプログラムコードを備えるコンピュータ可読媒体。
【手続補正２】
【補正対象書類名】明細書
【補正対象項目名】０１３７
【補正方法】変更
【補正の内容】
【０１３７】
本教示およびそれらの利点について詳細に説明したが、添付の特許請求の範囲によって規定される本教示の技術から逸脱することなく様々な変更、置換および改変を本明細書で行うことができることを理解されたい。さらに、本出願の範囲は、本明細書で説明するプロセス、機械、製造、組成物、手段、方法およびステップの特定の実施形態に限定されるものではない。当業者なら本開示から容易に諒解するように、本明細書で説明する対応する実施形態と実質的に同じ機能を実行するか、または実質的に同じ結果を達成する、現存するかまたは後で開発される、プロセス、機械、製造、組成物、手段、方法、またはステップは本教示に従って利用され得る。したがって、添付の特許請求の範囲は、それらの範囲内にそのようなプロセス、機械、製造、組成物、手段、方法、またはステップを含むものとする。
以下、平成２４年１２月１７日付け提出の国際出願翻訳文の特許請求の範囲の記載を付記する。
（１）
協働複数無線デバイスを有するネットワークにおいて少なくとも１つのプロキシデバイスを発見するための方法であって、前記方法は、
クライアント複数無線デバイスにおいてプローブモードに入ることであって、前記プローブモードが短距離通信プロトコルで行われる、プローブモードに入ることと、
所定のスケジュールに従って、前記クライアント複数無線デバイスにおいて記憶されたプロキシデバイスのリスト上の前記少なくとも１つのプロキシデバイスに、前記短距離通信プロトコルで複数のプローブパケットを送信することと、
前記プローブモード中に発見された前記少なくとも１つのプロキシデバイスの各々を識別するプロキシ識別子（ＩＤ）のリストをネットワークサーバに送信することであって、前記クライアント複数無線デバイスが長距離通信プロトコルを使用してプロキシＩＤの前記リストを送信する、送信することと
を備える、方法。
（２）
前記少なくとも１つのプロキシデバイスから少なくとも１つの応答プローブパケットを受信することであって、前記少なくとも１つのプロキシデバイスが、前記複数のプローブパケットのうちの少なくとも１つを受信したことに応答して前記少なくとも１つの応答プローブパケットを送信する、受信すること
をさらに備える、（１）に記載の方法。
（３）
前記プロキシリストについての要求を前記ネットワークサーバに送信することであって、前記クライアント複数無線デバイスが前記長距離通信プロトコルを使用して前記要求を送信する、送信することと
前記クライアントにおいて、前記ネットワークサーバから前記長距離通信プロトコルを介して前記プロキシリストを受信することであって、前記プロキシリストが、前記ネットワークサーバから、前記クライアントに宛てられたメッセージ中で受信される、受信することと
をさらに備える、（１）に記載の方法。
（４）
前記クライアント複数無線デバイスにおいてスケジュールリストを生成することであって、前記スケジュールリストが、
前記ネットワークサーバから受信された、前記プロキシリストに関連するスケジュールのリストと、
前記クライアント複数無線デバイスによって直接取得可能な、時間およびイベントベースのトリガのうちの少なくとも１つと
のうちの１つに基づいて生成される、生成すること
をさらに備える、（１）に記載の方法。
（５）
前記クライアント複数無線デバイスにおいて、前記ネットワークサーバから前記長距離通信プロトコルを介してブロードキャストメッセージを受信することと、
前記クライアント複数無線デバイスにおいて、前記ブロードキャストメッセージから前記プロキシリストへの更新を抽出することと、
前記抽出された更新を用いて前記プロキシリストを更新することと
をさらに備える、（３）に記載の方法。
（６）
前記更新が、
前記クライアントにとって利用可能なプロキシの完全なリスト、または、
前記プロキシリストへの変更を識別する差分リスト
のうちの１つを備える、（５）に記載の方法。
（７）
前記クライアント複数無線デバイスにおいて、前記ネットワークサーバから前記長距離通信プロトコルを介してブロードキャストメッセージを受信することと、
前記クライアント複数無線デバイスにおいて、前記ブロードキャストメッセージから前記プロキシリストを抽出することと
をさらに備える、（１）に記載の方法。
（８）
プロセッサと、
前記プロセッサに結合された少なくとも１つの短距離インターフェースと、
前記プロセッサに結合された少なくとも１つの長距離インターフェースと、
前記少なくとも１つの短距離インターフェースと前記少なくとも１つの長距離インターフェースとに結合されたアンテナアレイと、
前記プロセッサに結合された電源と、
前記プロセッサに結合されたストレージデバイスと、
前記ストレージデバイスに記憶されたプロキシ発見アプリケーションと
を備える複数無線デバイスであって、前記プロセッサによって実行されたとき、前記プロキシ発見アプリケーションは、
前記少なくとも１つの短距離インターフェースを使用してプローブモードに入ることと、
所定のスケジュールに従って、前記複数無線デバイスにおいて維持されるプロキシリスト上の少なくとも１つの利用可能なプロキシに、前記少なくとも１つの短距離インターフェースを使用して複数のプローブパケットを送信することと、
前記プローブモード中に発見された前記少なくとも１つの利用可能なプロキシを識別する少なくとも１つのプロキシ識別子（ＩＤ）をネットワークサーバに送ることであって、前記実行されるプロキシ発見アプリケーションが、前記少なくとも１つの長距離インターフェースを使用して前記少なくとも１つのプロキシＩＤを送るように前記複数無線デバイスを構成する、送ることと
を行うように前記複数無線デバイスを構成する、複数無線デバイス。
（９）
前記実行されるプロキシ発見アプリケーションは、所定のスケジュールに従って、前記少なくとも１つのプロキシデバイスから少なくとも１つの応答プローブパケットを受信することであって、前記少なくとも１つのプロキシデバイスが、前記複数のプローブパケットのうちの少なくとも１つを受信したことに応答して前記少なくとも１つの応答プローブパケットを送信する、受信することを行うように前記複数無線デバイスをさらに構成する、（８）に記載の複数無線デバイス。
（１０）
前記実行されるプロキシ発見アプリケーションが、前記少なくとも１つの長距離インターフェースを使用して前記プロキシリストについての要求を前記ネットワークサーバに送信するように前記複数無線デバイスをさらに構成する、（８）に記載の複数無線デバイス。
（１１）
前記実行されるプロキシ発見アプリケーションが、前記ネットワークサーバから、前記複数無線デバイスに宛てられたメッセージ中で前記プロキシリストを受信するように前記複数無線デバイスをさらに構成する、（１０）に記載の複数無線デバイス。
（１２）
前記実行されるプロキシ発見アプリケーションは、前記ネットワークサーバからブロードキャストメッセージを受信することと、前記ブロードキャストメッセージから前記プロキシリストへの更新を抽出することであって、前記複数無線デバイスが、前記抽出された更新を用いて前記プロキシリストを更新する、抽出することとを行うように前記複数無線デバイスをさらに構成する、（１１）に記載の複数無線デバイス。
（１３）
前記更新が、
前記複数無線デバイスにとって利用可能なすべてのプロキシデバイスの更新されたリストと、
前記プロキシリストへの変更を識別する差分リストと
のうちの１つを備える、（１２）に記載の複数無線デバイス。
（１４）
前記実行されるプロキシ発見アプリケーションが、前記ネットワークサーバからブロードキャストメッセージを受信することと、前記ブロードキャストメッセージから前記プロキシリストを抽出することとを行うように前記複数無線デバイスをさらに構成する、（８）に記載の複数無線デバイス。
（１５）
前記実行されるプロキシ発見アプリケーションが、スケジュールリストを生成するように前記複数無線デバイスをさらに構成し、前記スケジュールリストが、
前記ネットワークサーバから受信された、前記プロキシリストに関連するスケジュールのリストと、
前記複数無線デバイスによって直接取得可能な、時間およびイベントベースのトリガのうちの少なくとも１つと
のうちの１つに基づいて複数無線デバイスによって生成される、（８）に記載の複数無線デバイス。
（１６）
クライアント複数無線デバイスにおいてプローブモードに入るためのプログラムコードであって、前記プローブモードが短距離通信プロトコルで行われる、プローブモードに入るためのプログラムコードと、
所定のスケジュールに従って、前記クライアント複数無線デバイスにおいて記憶されたプロキシデバイスのリスト上の前記少なくとも１つのプロキシデバイスに、前記短距離通信プロトコルで複数のプローブパケットを送信するためのプログラムコードと、
前記プローブモード中に発見された前記少なくとも１つのプロキシデバイスの各々を識別するプロキシ識別子（ＩＤ）のリストをネットワークサーバに送信するためのプログラムコードであって、前記送信するためのプログラムコードの実行が、前記クライアント複数無線デバイスに、長距離通信プロトコルを使用してプロキシＩＤの前記リストを送信させる、送信するためのプログラムコードと
を備える、有形に記憶されたプログラムコードを含むコンピュータ可読媒体。
（１７）
所定のスケジュールに従って、前記少なくとも１つのプロキシデバイスから少なくとも１つの応答プローブパケットを受信するためのプログラムコードであって、前記少なくとも１つのプロキシデバイスが、前記複数のプローブパケットのうちの少なくとも１つを受信したことに応答して前記少なくとも１つの応答プローブパケットを送信する、受信するためのプログラムコード
をさらに備える、（１６）に記載のコンピュータ可読媒体。
（１８）
前記プロキシリストについての要求を前記ネットワークサーバに送信するためのプログラムコードであって、前記要求を送信するための前記プログラムコードの実行が、前記クライアントに前記長距離通信プロトコルを使用して前記要求を送信させる、送信するためのプログラムコードと、
前記クライアント複数無線デバイスにおいて、前記ネットワークサーバから前記長距離通信プロトコルを介して前記プロキシリストを受信するためのプログラムコードであって、前記プロキシリストが、前記ネットワークサーバから、前記クライアントに宛てられたメッセージ中で受信される、受信するためのプログラムコードと
をさらに備える、（１６）に記載のコンピュータ可読媒体。
（１９）
前記クライアント複数無線デバイスにおいて、前記ネットワークサーバから前記長距離通信プロトコルを介してブロードキャストメッセージを受信するためのプログラムコードと、
前記クライアント複数無線デバイスにおいて、前記ブロードキャストメッセージから前記プロキシリストへの更新を抽出するためのプログラムコードと、
前記抽出された更新を用いて前記プロキシリストを更新するためのプログラムコードと
をさらに備える、（１８）に記載のコンピュータ可読媒体。
（２０）
前記更新が、
前記クライアントにとって利用可能なプロキシの完全なリストと、
前記プロキシリストへの変更を識別する差分リストと
のうちの１つを備える、（１９）に記載のコンピュータ可読媒体。
（２１）
前記クライアント複数無線デバイスにおいて、前記ネットワークサーバから前記長距離通信プロトコルを介してブロードキャストメッセージを受信するためのプログラムコードと、
前記クライアント複数無線デバイスにおいて、前記ブロードキャストメッセージから前記プロキシリストを抽出するためのプログラムコードと
をさらに備える、（１６）に記載のコンピュータ可読媒体。
（２２）
前記クライアント複数無線デバイスにおいてスケジュールリストを生成するためのプログラムコードであって、前記スケジュールリストが、
前記ネットワークサーバから受信された、前記プロキシリストに関連するスケジュールのリストと、
前記クライアント複数無線デバイスによって直接取得可能な、時間およびイベントベースのトリガのうちの少なくとも１つと
のうちの１つに基づいて生成される、生成するためのプログラムコード
をさらに備える、（１６）に記載のコンピュータ可読媒体。
（２３）
クライアント複数無線デバイスにおいてプローブモードに入るための手段であって、前記プローブモードが短距離通信プロトコルで行われる、プローブモードに入るための手段と、
所定のスケジュールに従って、前記クライアント複数無線デバイスにおいて記憶されたプロキシデバイスのリスト上の前記少なくとも１つのプロキシデバイスに、前記短距離通信プロトコルで複数のプローブパケットを送信するための手段と、
前記プローブモード中に発見された前記少なくとも１つのプロキシデバイスの各々を識別する可能なプロキシ識別子（ＩＤ）のリストをネットワークサーバに送信するための手段であって、前記クライアント複数無線デバイスが長距離通信プロトコルを使用してプロキシＩＤの前記リストを送信する、送信するための手段と
を備える複数無線デバイス。
（２４）
所定のスケジュールに従って、前記少なくとも１つのプロキシデバイスから少なくとも１つの応答プローブパケットを受信するための手段であって、前記少なくとも１つのプロキシデバイスが、前記複数のプローブパケットのうちの少なくとも１つを受信したことに応答して前記少なくとも１つの応答プローブパケットを送信する、受信するための手段
をさらに備える、（２３）に記載の複数無線デバイス。
（２５）
前記プロキシリストについての要求を前記ネットワークサーバに送信するための手段であって、前記クライアントが前記長距離通信プロトコルを使用して前記要求を送信する、送信するための手段と
前記クライアントにおいて、前記ネットワークサーバから前記長距離通信プロトコルを介して前記プロキシリストを受信するための手段であって、前記プロキシリストが、前記ネットワークサーバから、前記クライアントに宛てられたメッセージ中で受信される、受信するための手段と
をさらに備える、（２３）に記載の複数無線デバイス。
（２６）
前記クライアント複数無線デバイスにおいて、前記ネットワークサーバから前記長距離通信プロトコルを介してブロードキャストメッセージを受信するための手段と、
前記クライアント複数無線デバイスにおいて、前記ブロードキャストメッセージから前記プロキシリストへの更新を抽出するための手段と、
前記抽出された更新を用いて前記プロキシリストを更新するための手段と
をさらに備える、（２５）に記載の複数無線デバイス。
（２７）
前記クライアント複数無線デバイスにおいて、前記ネットワークサーバから前記長距離通信プロトコルを介してブロードキャストメッセージを受信するための手段と、
前記クライアント複数無線デバイスにおいて、前記ブロードキャストメッセージから前記プロキシリストを抽出するための手段と
をさらに備える、（２５）に記載の複数無線デバイス。
（２８）
前記クライアント複数無線デバイスにおいてスケジュールリストを生成するための手段であって、前記スケジュールリストが、
前記ネットワークサーバから受信された、前記プロキシリストに関連するスケジュールのリストと、
前記クライアント複数無線デバイスによって直接取得可能な、時間およびイベントベースのトリガのうちの少なくとも１つと
のうちの１つに基づいて生成される、生成するための手段
をさらに備える、（２５）に記載の複数無線デバイス。